(57)【特許請求の範囲】
【請求項１】
大便をするための洋式もしくは和式の便器の上面に掛け渡すことができるホルダーと，このホルダーの略中央に形成された孔に取外し自在に取り付けられる容器とを有し，これらホルダーと容器は耐水性の材料で構成され，ホルダーには小便を通すための切り欠き部が形成されていることを特徴とする，大便採取用器具。
【請求項２】
前記容器は，大人の一回分の大便を全量採取するのに十分な容積を有することを特徴とする，請求項１に記載の大便採取用器具。
【請求項３】
前記容器を密封保存するための蓋を備えていることを特徴とする，請求項１又は２に記載の大便採取用器具。
【発明の詳細な説明】
【０００１】
【発明の属する技術分野】
本発明は，例えば医学的検査などにおいて被験者（例えば試験や検査を受ける者など）の大便を採取するための大便採取用器具に関する。
【０００２】
【従来の技術】
医学的検査の中で検便は重要な検査項目として位置づけられている。検便を行うことにより，少量の試料から潜血検査，細胞学的診断，細菌学的検査，酵素の測定等多彩な分析を行うことが可能となり，生体の状態を知る上で貴重な情報を得ることができる。また，新薬開発の臨床試験等においては，服用した薬物の吸収，排泄量を知るために便の全量採取を必要とすることも多い。通常，検便用の便の採取は，入院患者や健康診断を受ける被検者自身が，病院や家庭のトイレ内で行っている。しかし，近年は日本においても洋式水洗便器の普及が高まっており，採便が行いにくい場合がある。即ち，洋式水洗便器は多量の水を溜めておき，その中に排便をする仕組みになっているため，排便後に便を採取することは極めて困難である。また，和式水洗便器の場合にも，少量であるが水を溜めておくため，排泄された便のみを採取することが難しい場合もある。被検者が下痢をしているときには更に採取は困難となる。そこで現在は，適当なシート状物の上や，カップ，ビニール袋等の中に一旦排便し，例えばスプーンのようなものを使用して検便容器に移し替えるといった方法で採便が行われている。しかし，これらの方法では不自然な姿勢で排便を行わなければならなかったり，便を容器に移し替える操作を行う際に精神衛生上の負担があるという問題がある。
【０００３】
ここで従来より，大便の採取を容易にさせる手段として，特開平７−２７０４０３号，特開平８−２９４３３８号，特開平９−５３１８号及び特開平９−６１４２３号などが開示されている。これらの内，特開平７−２７０４０３号と特開平９−５３１８号は，便器の上面に跨って掛け渡されるシートに関するものであり，特開平８−２９４３３８号には，そのようなシートの素材についての記載がなされている。また，特開平９−６１４２３号は，便器の上面に掛け渡される容器に関するものである。そして，これらシート等の上に大便を一時的に保持させ，検便を容易に行わせるようにしている。
【０００４】
【発明が解決しようとする課題】
ところでこれら従来のシート等は，いずれも水溶性の素材で構成されている。その理由は，これら従来のシート等はいずれも大便を全量採取することを目的としたものではなく，便器内において一時的に大便を保持して検便をした後は，便と共に水で洗い流すことを前提としているからである。
【０００５】
しかしながら，例えば医薬品の検査などにおいては，服用した薬の吸収排泄量などを調べるために，被検者の大便を全量採取することが必要な場合がある。かかる場合，従来の水溶性のシート等は大便を一時的にしか保持できず，しかも，時間の経過と共に便器内に存在する水などによって溶け出してしまうため，そのような大便の全量採取には使用できなかった。そのため結局は，大便を全量採取する場合は，ビニール袋などを使用するしかなく，採取が不便であり，衛生的にも好ましいものではなかった。
【０００６】
本発明は上記問題点に鑑み，特に大便の全量採取に適した大便採取用器具を提供することにある。
【０００７】
【課題を解決するための手段】
かかる課題を解決するために請求項１の発明は，大便をするための洋式もしくは和式の便器の上面に掛け渡すことができるホルダーと，このホルダーの略中央に形成された孔に取外し自在に取り付けられる容器とを有し，これらホルダーと容器は耐水性の材料で構成され，ホルダーには小便を通すための切り欠き部が形成されていることを特徴とする大便採取用器具である。
【０００８】
この請求項１の大便採取用器具にあっては，洋式もしくは和式の便器の上面にホルダーを掛け渡し，容器を便器内に配置させる。そして，被検者が容器内に向かって大便を排泄することにより，簡単に大便を採取することができる。そして，このように採取した大便は，容器ごと運ぶことが可能である。この場合，容器は耐水性の材料で構成されているので，時間が経過しても容器が溶け出す心配はない。また，大便を採取した後，ホルダーから取り外して容器だけを搬送することが可能である。更に，ホルダーは再利用することもでき，経済的である。
【０００９】
この請求項１の大便採取用器具において，請求項２に記載したように，前記容器は，大人の一回分の大便を全量採取するのに十分な容積を有することが好ましい。そうすれば，容器内に大便を全量採取しても，大便があふれ出ることがない。全量採取するのに十分な容積とは通常３００ｍリットル〜１０００ｍリットルであるが，被験者の年齢，食生活等により適宜最適な容積を選択することができる。
【００１０】
また，請求項３に記載したように，請求項１又は２の大便採取用器具において，前記容器を密封保存するための蓋を備えていることが好ましい。そうすれば，容器内に採取した大便を運ぶ際に大便がこぼれることがなく，また，においも遮断され衛生的である。
【００１１】
【発明の実施の形態】
以下，本発明の好ましい実施の形態を添付図面に基づいて説明する。図１は，本発明の実施の形態にかかる大便採取用器具１を分解して示した斜視図である。この実施の形態にかかる大便採取用器具１は，ホルダー１０と容器２０と蓋３０により構成されている。
【００１２】
ホルダー１０は，大便をするための洋式もしくは和式の便器の上面に掛け渡すことができる長さを有している。ホルダー１０の略中央には円孔１１が形成されており，次に説明する容器２０をこの円孔１１に上から挿入することにより，容器２０をホルダー１０の略中央に保持する構成になっている。また，ホルダー１０は容器２０を保持できる強度を有しており，図示の例では数ミリ程度の厚さの樹脂板等で構成されている。ホルダー１０の両側には，把持用の孔１２が設けられている。この孔１２に指を挿入することにより，ホルダー１０を簡単に把持できるようになっている。
【００１３】
容器２０は，図示の例では，上面に開口部２１が形成され底面２２が塞がれたほぼ円筒形状をなしており，開口部２１の直径が底面２２の直径に比べて僅かに長くなるように，少しのテーパー形状（開口部２１から底面２２にかけて僅かずつ狭くなるテーパー形状）に構成されている。この容器２０は，大人の一回分の大便を全量採取するのに十分な容積を有している。また容器２０は，耐水性の材料で構成されており，図示の例では樹脂板等のプラスチック容器で構成されている。但し，この容器２０を段ボールなどで形成し，その内面に耐水塗料などを塗布した構成としても良い。そして，前述のホルダー１０に形成された円孔１１の直径は，開口部２１の直径よりも短いが，底面２２の直径よりは長くなっている。これにより，ホルダー１０の円孔１１に容器２０の底面２２を上から挿入することにより，途中で容器２０の周面が円孔１１に丁度嵌合した状態となって，容器２０がホルダー１０に保持されるようになっている。
【００１４】
蓋３０は，容器２０の開口部２１と同程度の直径を有する円盤形状をなしている。この蓋３０を容器２０の開口部２１内に嵌入させることによって，容器２０の内部を密封するようになっている。なおこの実施の形態では，この蓋３０も，先に説明した容器２０等と同様に，耐水性のある樹脂板等のプラスチックなどで構成されている。
【００１５】
さて，この実施の形態にかかる大便採取用器具１を使用する場合は，先ず図２に示すように，ホルダー１０に形成された円孔１１に容器２０を上から挿入することにより，容器２０をホルダー１０の略中央に保持させる。このとき，蓋３０は外しておいて良い。
【００１６】
次に図３に示すように，洋式の便器で使用する場合は，洋式の便器４０の上面にホルダー１０を掛け渡し，容器２０を便器４０内に配置させる。この場合，洋式の便器４０の上面において，便座４１を一旦持ち上げた状態でホルダー１０を洋式の便器４０の上面に載せてから便座４１を再び降ろすことにより，図示のように，ホルダー１０を便座４１と洋式の便器４０の上面との間で挟むようにすると良い。
【００１７】
そして，このようにして洋式の便器４０に大便採取用器具１をおいた状態で，被検者が容器２０内に向かって大便を排泄することにより，簡単に大便を採取することができる。なお，容器２０は，大人の一回分の大便を全量採取するのに十分な容積を有しているので，容器２０内に大便を全量採取しても，大便があふれ出ることがない。
【００１８】
次に，排便を終了した後，蓋３０を容器２０の開口部２１内に嵌入させることによって，容器２０の内部を密封する。そして，このように採取した大便は，図４に示すように，容器２０をホルダー１０から取り外して，容器２０ごと運ぶことが可能である。この場合，容器２０の開口部２１が蓋３０によって密閉されているので，容器２０内に採取した大便がこぼれることがなく，においも遮断され衛生的である。また，容器２０は耐水性の材料で構成されているので，時間が経過しても容器２０が溶け出す心配はない。そして，このように容器２０ごと運んだ大便について検査等を行うことにより，例えば服用した薬の便中排泄量などを調べることが可能となる。なお，ホルダー１０は再利用することもでき，経済的である。さらに，ホルダーに抗菌加工を施すことにより，より衛生効果を高めることができる。
【００１９】
以上，本発明の実施の形態にかかる大便採取用器具１を説明したが，本発明はここで説明した実施の形態に限定されるものでないことは勿論である。例えば，この実施の形態にかかる大便採取用器具１を，和式の便器の上面において使用することもできる。和式の便器に使用する場合は，洋式の便器のように便座との間にホルダーを挟むことができないので，ホルダーの表面にゴムなどを設けたり，表面を粗面に加工するなどして，滑り止めの手段を講ずると良い。また，例えば図５に示すように，ホルダー１０には，小便を通すための切り欠き部１３を形成しておくと，排便の際に，ホルダー１０に小便がぶつからず，大便を容器２０内により円滑に採取できるようになる。
【００２０】
【発明の効果】
本発明の大便採取用器具を用いることにより，大便の全量採取を容易かつ衛生的に行うことができるようになる。なお，容器の開口部を蓋で密閉することにより，容器内に採取した大便がこぼれることがなく，においも遮断され，運搬に便利になる。また，容器は耐水性の材料で構成されているので，時間が経過しても容器が溶け出す心配はない。また，ホルダーを再利用することもでき，経済的である。更に，容器ごと大便を凍結保存することもできる。
【図面の簡単な説明】
【図１】本発明の実施の形態にかかる大便採取用器具を分解して示した斜視図である。
【図２】容器をホルダーに保持させた状態の説明図である。
【図３】洋式の便器の上面にホルダーを掛け渡した状態の説明図である。
【図４】容器をホルダーから取り外した状態を示す斜視図である。
【図５】小便を通すための切り欠き部を形成したホルダーの斜視図である。
【符号の説明】
１    大便採取用器具
１０  ホルダー
２０  容器
３０  蓋
【図１】
0003880185.tif 000002
【図２】
0003880185.tif 000003
【図３】
0003880185.tif 000004
【図４】
0003880185.tif 000005
【図５】
0003880185.tif 000006